(57)【要約】【課題】容易に解像度を多段階に設定することができるイメージセンサ、読取装置、及び解像度設定方法を提供すること。【解決手段】複数の光電変換素子と、各光電変換素子の電荷出力部と共通の信号ラインとの間をオンーオフするチャンネルセレクトスイッチ群とを備え、クロックパルス信号に同期しながらチャンネルセレクトスイッチ群を順次オンーオフ制御するイメージセンサであって、解像度設定タイミング信号、第１の解像度設定信号及び第２の解像度設定信号が入力されたとき、解像度設定タイミング信号の立ち上がり又は立ち下がりのタイミングにおける第１の解像度設定信号及び第２の解像度設定信号のオン−オフパターンに応じてイメージセンサの解像度を設定する解像度設定手段を備えるイメージセンサ。【選択図】  図４
2004289634.tif 000002
【特許請求の範囲】
【請求項１】
光信号を電気信号に変換する複数の光電変換素子と、
当該各光電変換素子にそれぞれ対応して配置され、各光電変換素子の電荷出力部と共通の信号ラインとの間をオンーオフするチャンネルセレクトスイッチ群と、を備え、
クロックパルス信号に同期しながら、前記チャンネルセレクトスイッチ群を、順次オンーオフ制御するイメージセンサであって、
解像度設定タイミング信号、第１の解像度設定信号、及び第２の解像度設定信号が入力されたとき、前記解像度設定タイミング信号の立ち上がり又は立ち下がりのタイミングにおける、前記第１の解像度設定信号及び第２の解像度設定信号のオン−オフパターンに応じて前記チャンネルセレクトスイッチ群のオンーオフ制御パターンを定めることによりイメージセンサの解像度を設定する解像度設定手段を備えることを特徴とするイメージセンサ。
【請求項２】
更に、前記チャンネルセレクトスイッチ群のオンーオフ制御パターンを決定するシフトレジスタ群を備え、
前記解像度設定タイミング信号、第１の解像度設定信号及び第２の解像度設定信号は、それぞれ外部装置から入力される、解像度を設定するための制御信号、前記シフトレジスタ群を起動するスタート信号、前記クロックパルス信号のいずれかであることを特徴とする請求項１記載のイメージセンサ。
【請求項３】
前記解像度設定タイミング信号が前記スタート信号でない場合には、前記解像度設定タイミング信号の立ち上がり又は立ち下がりから所定期間内では、前記スタート信号は前記シフトレジスタ群の起動を行わないことを特徴とする請求項２に記載のイメージセンサ。
【請求項４】
前記解像度設定手段を用いた解像度の設定は、画像の読取における１ライン毎に行うことを特徴とする請求項１〜３のいずれかに記載のイメージセンサ。
【請求項５】
前記解像度設定手段を用いた解像度の設定は、画像の読取における１頁毎に行うことを特徴とする請求項１〜３のいずれかに記載のイメージセンサ。
【請求項６】
前記解像度設定手段にて、最大解像度以外が設定された場合は、前記シフトレジスタ群は、設定された解像度に応じて複数のチャンネルセレクトスイッチを同時にオンとすることを特徴とする請求項２〜５のいずれかに記載のイメージセンサ。
【請求項７】
前記解像度を変更するごとに、当該イメージセンサから出力される画像信号に、前記解像度を示す解像度信号が含まれることを特徴とする前記請求項１〜６のいずれかに記載のイメージセンサ。
【請求項８】
請求項１に記載のイメージセンサと、
前記解像度設定タイミング信号を発生する解像度設定タイミング信号発生手段と、
前記第１の解像度設定信号を発生する第１の解像度設定信号発生手段と、
前記第２の解像度設定信号を発生する第２の解像度設定信号発生手段と、
解像度に応じて前記３つの信号発生手段を制御する制御手段と、
を備えることを特徴とする読取装置。
【請求項９】
前記イメージセンサは、更に、前記チャンネルセレクトスイッチ群のオンーオフ制御パターンを決定するシフトレジスタ群を備え、
前記解像度設定タイミング信号、第１の解像度設定信号及び第２の解像度設定信号は、それぞれ外部装置から入力される、解像度を設定するための制御信号、前記シフトレジスタ群を起動するスタート信号、前記クロックパルス信号のいずれかに対応することを特徴とする請求項８に記載の読取装置。
【請求項１０】
前記制御手段は、前記制御信号の立ち上がり又は立ち下がりのタイミングにおける前記スタート信号及び前記クロックパルス信号のオンーオフパターンを設定することを特徴とする請求項９に記載の読取装置。
【請求項１１】
前記解像度設定タイミング信号が前記スタート信号でない場合は、前記制御手段は、前記解像度設定タイミング信号の立ち上がり又は立ち下がりから所定期間内では、前記スタート信号は前記シフトレジスタ群の起動を行わないことを特徴とする請求項９に記載の読取装置。
【請求項１２】
前記解像度設定タイミング信号がスタート信号でない場合は、前記制御手段は、前記解像度設定タイミング信号の立ち上がり又は立ち下がり後に再度前記スタート信号発生手段からスタート信号を発生させることを特徴とする請求項９又は１０に記載の読取装置。
【請求項１３】
前記解像度設定手段を用いた解像度の設定は、画像の読取における１ライン毎に行うことを特徴とする請求項８〜１２のいずれかに記載の読取装置。
【請求項１４】
前記解像度設定手段を用いた解像度の設定は、画像の読取における１頁毎に行うことを特徴とする請求項８〜１２のいずれかに記載の読取装置。
【請求項１５】
前記解像度設定手段にて、最大解像度以外が設定された場合は、前記シフトレジスタ群は、設定された解像度に応じて複数のチャンネルセレクトスイッチを同時にオンとすることを特徴とする請求項９〜１４のいずれかに記載の読取装置。
【請求項１６】
前記解像度を変更するごとに、当該イメージセンサから出力される画像信号に、前記解像度を示す解像度信号が含まれることを特徴とする請求項８〜１５のいずれかに記載の読取装置。
【請求項１７】
光信号を電気信号に変換する複数の光電変換素子と、
当該各光電変換素子にそれぞれ対応して配置され、各光電変換素子の電荷出力部と共通の信号ラインとの間をオンーオフするチャンネルセレクトスイッチ群と、を備え、
クロックパルス信号に同期しながら、前記チャンネルセレクトスイッチ群を、順次オンーオフ制御するイメージセンサにおける解像度設定方法であって、
解像度設定タイミング信号、第１の解像度設定信号、及び第２の解像度設定信号が入力されたとき、前記解像度設定タイミング信号の立ち上がり又は立ち下がりのタイミングにおける、前記第１の解像度設定信号及び第２の解像度設定信号のオン−オフパターンに応じて前記チャンネルセレクトスイッチ群のオンーオフ制御パターンを定めることによりイメージセンサの解像度を設定することを特徴とするイメージセンサにおける解像度設定方法。
【請求項１８】
前記密着型センサは、更に、前記チャンネルセレクトスイッチ群のオンーオフ制御パターンを決定するシフトレジスタ群を備え、
前記解像度設定タイミング信号、第１の解像度設定信号及び第２の解像度設定信号は、それぞれ外部装置から入力される、解像度を設定するための制御信号、前記シフトレジスタ群を起動するスタート信号、前記クロックパルス信号のいずれかであることを特徴とする請求項１７記載のイメージセンサにおける解像度設定方法。
【発明の詳細な説明】
【０００１】
【発明の属する技術分野】
本発明は、イメージセンサ、読取装置、及び解像度設定方法に関する。
【０００２】
【従来の技術】
従来より、ファクシミリ、コピー機、ハンドスキャナ等にイメージセンサが用いられてきた。従来のイメージセンサの構成を図１１に示す。Ｐ１ａ〜Ｐ１ｅは光を検知すると電流（画像信号）を出力するフォトトランジスタなどの光電変換素子、Ｐ２は電源電圧ＶＤＤを入力する電源入力端子、Ｐ３ａ〜Ｐ３ｅは各光電変換素子Ｐ１ａ〜Ｐ１ｅの電荷出力部にそれぞれ接続されたチャンネルセレクトスイッチ、Ｐ４はスタート信号により起動され、各光電変換素子Ｐ１ａ〜Ｐ１ｅが出力する画像信号を順次（この例では、Ｐ１ａ→Ｐ１ｂ→Ｐ１ｃ→Ｐ１ｄ→Ｐ１ｅの順）共通の信号ラインＰ７を介して画像信号出力端子Ｐ１１から出力すべく、各チャンネルセレクトスイッチＰ３ａ〜Ｐ３ｅを順次（この例では、Ｐ３ａ→Ｐ３ｂ→Ｐ３ｃ→Ｐ３ｄ→Ｐ３ｅの順）クロックパルス信号の周期に合わせてオン，オフ制御するシフトレジスタ群、Ｐ４ａ〜Ｐ４ｆはシフトレジスタ、Ｐ５はスタート信号（ＳＩ）を入力するスタート信号入力端子、Ｐ６はクロックパルス信号（ＣＬＫ）を入力するクロックパルス信号入力端子である。
【０００３】
Ｐ８はスタート信号により起動された後、シフトレジスタ群Ｐ４が動作中（シフトレジスタ４ａがスタート信号を入力した後、シフトレジスタＰ４ｆからそのスタート信号が出力されるまでの間）”オン”の信号を連続して出力するフリップフロップ、Ｐ９は信号ラインＰ７上に挿入され、フリップフロップより”オン”の信号を受けると開状態になるチップセレクトスイッチ、Ｐ１０は信号ラインＰ７とグランド端子Ｐ１２との間に接続され、クロックパルス信号のレベル変化に応じて開閉を繰り返すスイッチである。
【０００４】
次に、従来のイメージセンサの動作を説明する。まず、外部からそれぞれスタート信号端子Ｐ５およびクロックパルス信号入力端子Ｐ６を介してスタート信号，クロックパルス信号がシフトレジスタ群Ｐ４に供給される。ここで、スタート信号はクロックパルス信号の２倍の周期であり、クロックパルス信号の立ち下がりエッジでシフトレジスタ群Ｐ４のシフトレジスタＰ４ａに取り込まれる。
【０００５】
次に、スタート信号を取り込んだことにより、シフトレジスタＰ４ａが起動され、その結果、シフトレジスタＰ４ａはチャンネルセレクトスイッチＰ３ａをクロックパルス信号の一周期分の時間だけ閉状態にする。これにより、光電変換素子Ｐ１ａが出力する画像信号を、信号ラインＰ７を介して画像信号出力端子Ｐ１１から出力させ、その後、そのチャンネルセレクトスイッチＰ３ａを開状態に戻すとともに、取り込んだスタート信号をシフトレジスタＰ４ｂに転送する。
【０００６】
従ってスタート信号が、シフトレジスタＰ４ｂ→Ｐ４ｃ→Ｐ４ｄ→Ｐ４ｅの順に取り込まれていくため、光電変換素子Ｐ１ｂ〜Ｐ１ｅの画像信号が順次画像信号出力端子Ｐ１１から出されることになる。また、シフトレジスタＰ４ｆから端子Ｐ１３を介して次段のセンサＩＣのスタート信号として出力される。
【０００７】
このようなイメージセンサにおいては、外部から入力されるコントロール信号を用いて、光電変換素子から画像信号出力端子へ出力される電流を選択的に切替え出力し、読取における解像度を２段階に設定することが提案されている（特許文献１参照）
【０００８】
【特許文献１】特開平５−２２７３６２号公報
【０００９】
【発明が解決しようとする課題】
しかしながら、上記の解像度設定方法では、コントロール信号が「Ｈ」の状態の時の解像度と、コントロール信号が「Ｌ」の状態の時の解像度との、２段階にしか解像度の設定ができない。従って、用途に応じて２段階を超える多段階に解像度を設定することができないという問題があった。
【００１０】
本発明は以上の点に鑑みなされたものであり、容易に解像度を多段階に設定することができるイメージセンサ、読取装置、及び解像度設定方法を提供することを目的とする。
【００１１】
【課題を解決するための手段及び発明の効果】
（１）請求項１の発明は、
光信号を電気信号に変換する複数の光電変換素子と、当該各光電変換素子にそれぞれ対応して配置され、各光電変換素子の電荷出力部と共通の信号ラインとの間をオンーオフするチャンネルセレクトスイッチ群と、を備え、クロックパルス信号に同期しながら、前記チャンネルセレクトスイッチ群を、順次オンーオフ制御するイメージセンサであって、解像度設定タイミング信号、第１の解像度設定信号、及び第２の解像度設定信号が入力されたとき、前記解像度設定タイミング信号の立ち上がり又は立ち下がりのタイミングにおける、前記第１の解像度設定信号及び第２の解像度設定信号のオン−オフパターンに応じて前記チャンネルセレクトスイッチ群のオンーオフ制御パターンを定めることによりイメージセンサの解像度を設定する解像度設定手段を備えることを特徴とするイメージセンサを要旨とする。
【００１２】
本発明では、解像度設定タイミング信号が立ち上がり又は立ち下がりのタイミングにあるときの第１の解像度設定信号及び第２の解像度設定信号のオン−オフパターンを検出する。検出されるオン−オフパターンの数は、例えば、オン−オフパターンを検出するタイミングが１つの場合は４種類となり、また、オン−オフパターンを検出するタイミングが２つの場合は１６種類となる。
【００１３】
従って、本発明では、上記３つの信号のタイミングや波形を変化させることによって多種類のオン−オフパターンを生じさせることができる。そして、本発明では、例えば、それらのオン−オフパターンのそれぞれに対応する解像度を設定することにより、多数の（例えば２種類を超える）解像度を設定することができる。そのことにより、本発明のイメージセンサは、用途に応じて解像度をきめ細かく設定することができる。
（２）請求項２の発明は、
更に、前記チャンネルセレクトスイッチ群のオンーオフ制御パターンを決定するシフトレジスタ群を備え、前記解像度設定タイミング信号、第１の解像度設定信号及び第２の解像度設定信号は、それぞれ外部装置から入力される、解像度を設定するための制御信号、前記シフトレジスタ群を起動するスタート信号、前記クロックパルス信号のいずれかであることを特徴とする請求項１記載のイメージセンサを要旨とする。
【００１４】
本発明は、チャンネルセレクトスイッチ群のオンーオフ制御パターンを決定するシフトレジスタ群を備えているので、チャンネルセレクトスイッチ群を確実に動作させることができる。
また、本発明では、制御信号、スタート信号、及びクロックパルス信号を解像度設定タイミング信号、第１の解像度設定信号、及び第２の解像度設定信号として用いているので、イメージセンサに入力する信号の数が少なくて済む。
（３）請求項３の発明は、
前記解像度設定タイミング信号が前記スタート信号でない場合には、前記解像度設定タイミング信号の立ち上がり又は立ち下がりから所定期間内では、前記スタート信号は前記シフトレジスタ群の起動を行わないことを特徴とする請求項２に記載のイメージセンサを要旨とする。
【００１５】
本発明では、スタート信号が第１の解像度設定信号又は第２の解像度設定信号であるので、解像度設定手段の実行中におけるスタート信号のタイミングは、設定するオンーオフパターンに応じて変動することがある。
しかし、本発明では、解像度設定タイミング信号の立ち上がり又は立ち下がりから所定期間内（解像度実行手段の実行中）におけるスタート信号ではシフトレジスタ群の起動を行わず、例えば、解像度設定手段の実行後にオンとなるスタート信号によりシフトレジスタ群を起動する。
【００１６】
そのことにより、解像度設定手段の実行中におけるスタート信号のタイミングが変動した場合でも、画像の読取を開始するタイミングがずれてしまうことがない。
（４）請求項４の発明は、
前記解像度設定手段を用いた解像度の設定は、画像の読取における１ライン毎に行うことを特徴とする請求項１〜３のいずれかに記載のイメージセンサを要旨とする。
【００１７】
本発明では、解像度設定手段の実行と、１ラインの画像読取とを、１ライン毎に行う一連の処理として記憶しておき、この処理を繰り返すことで画像の読取を行うことができるので、イメージセンサの制御が容易である。
（５）請求項５の発明は、
前記解像度設定手段を用いた解像度の設定は、画像の読取における１頁毎に行うことを特徴とする請求項１〜３のいずれかに記載のイメージセンサを要旨とする。
【００１８】
本発明では、解像度設定手段の実行は１頁に一度で良いので、解像度設定手段の実行回数が少なくて済む。そのことにより、画像の読取りに要する時間を短縮できる。
（６）請求項６の発明は、
前記解像度設定手段にて、最大解像度以外が設定された場合は、前記シフトレジスタ群は、設定された解像度に応じて複数のチャンネルセレクトスイッチを同時にオンとすることを特徴とする請求項２〜５のいずれかに記載のイメージセンサを要旨とする。
【００１９】
最大解像度以外が設定された場合は、光電変換素子における光信号の受信と電気信号の出力とのサイクルが短くなるので、光電変換素子１個が信号ラインに出力する電気信号は小さくなる。
しかし、本発明では、最大解像度以外が設定された場合は、シフトレジスタ群が解像度に応じて複数（例えは、解像度が最大解像度の１／ｎ倍であるときは、ｎ個（ｎは自然数））のチャンネルセレクトスイッチを同時にオンとするので、複数の光電変換素子から出力された電気信号が同時に信号ラインに送られる。そのことにより、本発明では、最大解像度以外が設定された場合でも、信号ラインの出力が小さくなることがなく、読み取った画像のＳ／Ｎが高いという特長を有する。
（７）請求項７の発明は、
前記解像度を変更するごとに、当該イメージセンサから出力される画像信号に、前記解像度を示す解像度信号が含まれることを特徴とする前記請求項１〜６のいずれかに記載のイメージセンサを要旨とする。
【００２０】
本発明では、イメージセンサから出力される画像信号に、前記解像度を示す解像度信号が含まれるので、解像度設定が正常に行われているかを、例えば、イメージセンサを備える読取装置において判断することができる。そして、解像度設定が正常に行われていない場合は、例えば、読取を中止したり、読取装置に警告を表示したりすることができる。
（８）請求項８の発明は、
請求項１に記載のイメージセンサと、前記解像度設定タイミング信号を発生する解像度設定タイミング信号発生手段と、前記第１の解像度設定信号を発生する第１の解像度設定信号発生手段と、前記第２の解像度設定信号を発生する第２の解像度設定信号発生手段と、解像度に応じて前記３つの信号発生手段を制御する制御手段と、を備えることを特徴とする読取装置を要旨とする。
【００２１】
本発明の読取装置は、請求項１に記載のイメージセンサを備えることにより、多数の（例えば２種類を超える）解像度を設定することができる。
（９）請求項９の発明は、
前記イメージセンサは、更に、前記チャンネルセレクトスイッチ群のオンーオフ制御パターンを決定するシフトレジスタ群を備え、前記解像度設定タイミング信号、第１の解像度設定信号及び第２の解像度設定信号は、それぞれ外部装置から入力される、解像度を設定するための制御信号、前記シフトレジスタ群を起動するスタート信号、前記クロックパルス信号のいずれかに対応することを特徴とする請求項８に記載の読取装置を要旨とする。
【００２２】
本発明では、イメージセンサにチャンネルセレクトスイッチ群のオンーオフ制御パターンを決定するシフトレジスタ群を備えているので、チャンネルセレクトスイッチ群を確実に動作させることが出来る。
また、本発明では、制御信号、スタート信号、及びクロックパルス信号を解像度設定タイミング信号、第１の解像度設定信号、及び第２の解像度設定信号として用いているので、イメージセンサに入力する信号の数が少なくて済む。
（１０）請求項１０の発明は、
前記制御手段は、前記制御信号の立ち上がり又は立ち下がりのタイミングにおける前記スタート信号及び前記クロックパルス信号のオンーオフパターンを設定することを特徴とする請求項９に記載の読取装置を要旨とする。
【００２３】
本発明では、制御信号の立ち上がり又は立ち下がりのタイミングにおけるスタート信号及びクロックパルス信号のオンーオフパターンが所望のパターンとなるように、制御手段が、解像度設定タイミング信号発生手段、第１の解像度設定信号発生手段、及び第２の解像度設定信号発生手段を制御する。
【００２４】
そのことにより、所望のオンーオフパターンを確実に生成することができる。
（１１）請求項１１の発明は、
前記解像度設定タイミング信号が前記スタート信号でない場合は、前記制御手段は、前記解像度設定タイミング信号の立ち上がり又は立ち下がりから所定期間内では、前記スタート信号は前記シフトレジスタ群の起動を行わないことを特徴とする請求項９に記載の読取装置を要旨とする。
【００２５】
本発明では、解像度設定タイミング信号の立ち上がり又は立ち下がりから所定期間内（解像度実行手段の実行中）におけるスタート信号ではシフトレジスタ群の起動を行わず、例えば、解像度設定手段の実行後にオンとなるスタート信号によりシフトレジスタ群を起動する。そのことにより、解像度設定手段の実行中におけるスタート信号のタイミングが変動した場合でも、画像の読取を開始するタイミングがずれてしまうことがない。
（１２）請求項１２の発明は、
前記解像度設定タイミング信号がスタート信号でない場合は、前記制御手段は、前記解像度設定タイミング信号の立ち上がり又は立ち下がり後に再度前記スタート信号発生手段からスタート信号を発生させることを特徴とする請求項９又は１０に記載の読取装置を要旨とする。
【００２６】
本発明では、例えば、解像度設定タイミング信号がオンのときにはスタート信号を検知せず、解像度設定タイミング信号がオフとなってから発生したスタート信号によりシフトレジスタ群を起動させることができる。そのことにより、確実にシフトレジスタ群の起動を行うことができる。
（１３）請求項１３の発明は、
前記解像度設定手段を用いた解像度の設定は、画像の読取における１ライン毎に行うことを特徴とする請求項８〜１２のいずれかに記載の読取装置を要旨とする。
【００２７】
本発明では、解像度設定手段の実行と、１ラインの画像読取とを、１ライン毎に行う一連の処理として記憶しておき、この処理を繰り返すことで画像の読取を行うことができるので、イメージセンサの制御が容易である。
（１４）請求項１４の発明は、
前記解像度設定手段を用いた解像度の設定は、画像の読取における１頁毎に行うことを特徴とする請求項８〜１２のいずれかに記載の読取装置を要旨とする。
【００２８】
本発明では、解像度設定手段の実行は１頁に一度で良いので、解像度設定手段の実行回数が少なくて済む。そのことにより、画像の読取りに要する時間を短縮できる。
（１５）請求項１５の発明は、
前記解像度設定手段にて、最大解像度以外が設定された場合は、前記シフトレジスタ群は、設定された解像度に応じて複数のチャンネルセレクトスイッチを同時にオンとすることを特徴とする請求項９〜１４のいずれかに記載の読取装置を要旨とする。
【００２９】
本発明では、最大解像度以外が設定された場合は、シフトレジスタ群が解像度に応じて複数（例えは、解像度が最大解像度の１／ｎ倍であるときは、ｎ個（ｎは自然数））のチャンネルセレクトスイッチを同時にオンとするので、複数の光電変換素子から出力された電気信号が同時に信号ラインに送られる。そのことにより、本発明では、最大解像度以外が設定された場合でも、信号ラインの出力が小さくなることがなく、読み取った画像のＳ／Ｎが高いという特長を有する。
（１６）請求項１６の発明は、
前記解像度を変更するごとに、当該イメージセンサから出力される画像信号に、前記解像度を示す解像度信号が含まれることを特徴とする請求項８〜１５のいずれかに記載の読取装置を要旨とする。
【００３０】
本発明では、イメージセンサから出力される画像信号に、前記解像度を示す解像度信号が含まれるので、解像度設定が正常に行われているかを、例えば、読取装置が備える判断手段において判断することができる。そして、解像度設定が正常に行われていない場合は、例えば、読取を中止したり、読取装置に警告を表示したりすることができる。
（１７）請求項１７の発明は、
光信号を電気信号に変換する複数の光電変換素子と、当該各光電変換素子にそれぞれ対応して配置され、各光電変換素子の電荷出力部と共通の信号ラインとの間をオンーオフするチャンネルセレクトスイッチ群と、を備え、クロックパルス信号に同期しながら、前記チャンネルセレクトスイッチ群を、順次オンーオフ制御するイメージセンサにおける解像度設定方法であって、解像度設定タイミング信号、第１の解像度設定信号、及び第２の解像度設定信号が入力されたとき、前記解像度設定タイミング信号の立ち上がり又は立ち下がりのタイミングにおける、前記第１の解像度設定信号及び第２の解像度設定信号のオン−オフパターンに応じて前記チャンネルセレクトスイッチ群のオンーオフ制御パターンを定めることによりイメージセンサの解像度を設定することを特徴とするイメージセンサにおける解像度設定方法を要旨とする。
【００３１】
本発明を、イメージセンサに用いることにより、請求項１の発明と同様の効果を奏する。
（１８）請求項１８の発明は、
前記密着型センサは、更に、前記チャンネルセレクトスイッチ群のオンーオフ制御パターンを決定するシフトレジスタ群を備え、前記解像度設定タイミング信号、第１の解像度設定信号及び第２の解像度設定信号は、それぞれ外部装置から入力される、解像度を設定するための制御信号、前記シフトレジスタ群を起動するスタート信号、クロックパルス信号のいずれかであることを特徴とする請求項１７記載のイメージセンサにおける解像度設定方法を要旨とする。
【００３２】
本発明を、イメージセンサに用いることにより、請求項２の発明と同様の効果を奏する。
【００３３】
【発明の実施の形態】
以下に本発明のイメージセンサ、読取装置、及び解像度設定方法の実施の形態の例（実施例）を説明する。
（実施例１）
ａ）まず、本実施例１の読取装置１を組み込んだ複合機の全体構成を図１及び図２を用いて説明する。
【００３４】
複合機は、下側本体２ａに対して上側本体２ｂを開閉可能に取り付けてなるクラムシェル型の開閉構造を備えており、上側本体２ｂに読取装置１を備えている。また、上側本体２ａの正面側には操作パネル４が設けられている。尚、複合機は、その他、画像形成装置（レーザプリンタ）も備えているが、本発明とは関係ないのでその記載は省略する。
【００３５】
読取装置１は、フラットベッド機構（ＦＢ）及び自動給紙機構（ＡＤＦ）の双方を備えるタイプのものである。この読取装置１自体も、フラットベッド部１ａに対してカバー部１ｂを開閉可能に取り付けて成るクラムシェル型の開閉構造を備えている。
【００３６】
読取装置１において、フラットベッド部１ａには、図２に示す様に、読取ヘッド（イメージセンサ）６、第１プラテンガラス８等が配設され、カバー部１ｂには、原稿供給トレイ１２、原稿搬送装置１４、原稿搬出トレイ１６等が設けられている。
【００３７】
読取ヘッド６は、受光素子３、セルフォックレンズ１８、光源２０を備え、読み取り対象位置に存在する原稿に対して光源２０から光を照射し、原稿からの反射光をセルフォックレンズ１８によって受光素子３に結像し、受光素子３で画像を読み取るように構成されている。
【００３８】
また、読取ヘッド６は、図示しない駆動機構により図２における左右方向に駆動可能となっており、原稿の全面を読み取ることができる。
次に、読取装置１の構成を図３を用いて説明する。読取装置１は、画像の読取を行う読取ヘッド（イメージセンサ）６と、この読取ヘッド６の制御及び読取ヘッド６から入力される画像信号の処理を行うＡＳＩＣ５とから構成される。
【００３９】
読取ヘッド６の構成は後に詳述する。ＡＳＩＣ５は、波形生成部（解像度設定タイミング信号発生手段、第１の解像度設定信号発生手段、第２の解像度設定信号発生手段）７と、Ａ／Ｄ変換部９と、画像処理部１１と、ＣＰＵ（制御手段）１３とから構成される。
【００４０】
波形生成部７は、ストローブ信号（解像度を設定するための制御信号、ＳＴＢ信号）、スタート信号（ＳＰ信号）、及びクロックパルス信号（ＣＬＫ信号）をそれぞれ生成し、読取ヘッド６に供給する。Ａ／Ｄ変換部９は、読取ヘッド６から送られるアナログの画像信号をデジタル信号に変換し、画像処理部１１に出力する。ＣＰＵ１３は、ＡＳＩＣ５の各部の制御を行う。
【００４１】
ｂ）次に、読取ヘッド６の構成を図３及び図４を用いて説明する。
図４において、１５は、薄膜のフォトダイオード又は光伝導薄膜により構成される光電変換素子である。光電変換素子１５は、１２００ｄｐｉに対応する密度で、１直線上に１０３３６個配置されており、順に１画素目〜１０３３６画素目まで番号が付されている。各光電変換素子１５は、共通電極１７に接続しており、バイアス電圧ＶＤＤが印加されている。
【００４２】
１９は光電変換素子１５にそれぞれ対応して配置され、光電変換素子１５の出力端子（電荷出力部）と、信号出力端子であるＡＯ端子２１との間をオン−オフするアナログスイッチ（チャンネルセレクトスイッチ）である。
２３は、ＳＰ信号により起動され、ＣＬＫ信号に同期しながら、アナログスイッチ１９のゲートに順次信号を出力し、アナログスイッチ１９をオンーオフ制御するシフトレジスタである。このシフトレジスタ２３は、後述する解像度切替部３１から送られる信号に基づいて解像度設定データを生成する。そして、その解像度設定データに基づき、１２００ｄｐｉ、６００ｄｐｉ、４００ｄｐｉ、３００ｄｐｉの４種の解像度の中から指定された解像度で画像の読取を行えるように、その動作を切り換えることができる。シフトレジスタ２３の詳細な構成及び動作は後述する。
【００４３】
２５はＡＳＩＣ５の波形生成部７において生成するＳＰ信号をシフトレジスタ２３及び後述する解像度切替部３１に入力するＳＰ端子である。
２７はＡＳＩＣ５の波形生成部７において生成するＣＬＫ信号をシフトレジスタ２３及び後述する解像度切替部３１に入力するＣＬＫ端子である。
【００４４】
２９はＡＳＩＣ５の波形生成部７において生成するＳＴＢ信号をシフトレジスタ２３及び後述する解像度切替部３１に入力するＳＴＢ端子である。
３１は、読取ヘッド６の解像度を設定する解像度切替部（解像度設定手段）である。この解像度切替部３１は、１２００ｄｐｉ、６００ｄｐｉ、４００ｄｐｉ、３００ｄｐｉの４種のいずれかの解像度に対応した信号をシフトレジスタ２３に出力する。尚、解像度切替部３１の構成及び動作は後に詳述する。
【００４５】
ｃ）次に、シフトレジスタ２３の構成を図５を用いて説明する。
３３は、光電変換素子１５のそれぞれに対応して配置されたたフリップフロップ（Ｆ／Ｆ）３３である。Ｆ／Ｆ３３には、光電変換素子１５と同様に、１〜１０３３６番目までの番号が付されている。各Ｆ／Ｆ３３には、ＣＬＫ信号が供給されており、１番目のＦ／Ｆ３３には、ＳＰ信号が供給される。各Ｆ／Ｆ３３は、ＳＰ信号が入力されると起動され、接続されているアナログスイッチ１９をＣＬＫ信号の１周期分の時間だけ閉状態とする。
【００４６】
３５は、光電変換素子１５うち、偶数の番号を持つものにそれぞれ対応して配置された切替スイッチである。
この切替スイッチ３５は、後述する解像度設定データ生成部３８から１２００ｄｐｉに対応する解像度設定データを受信した場合は、０側の端子と接続する。このとき、２番目のＦ／Ｆ３３は３番目のＦ／Ｆ３３と接続し、４番目のＦ／Ｆ３３は５番目のＦ／Ｆ３３と接続する。同様に、２ｎ番目のＦ／Ｆ３３は（２ｎ＋１）番目のＦ／Ｆ３３と接続する（ｎ＝１〜５１６７の整数）。また、２ｎ−１番目と２ｎ番目のＦ／Ｆ３３は常に接続している。従って、この場合には、１番目から１０３３６番目までのＦ／Ｆ３３は、順次、全て接続されている。
【００４７】
一方、切替スイッチ３５は、解像度設定データ生成部から６００ｄｐｉに対応する解像度設定データを受信した場合は、１側の端子と接続する。このとき、（２ｎ−１）番目のＦ／Ｆ３３は、２ｎ番目のＦ／Ｆ３３を飛ばして、２ｎ＋１番目のＦ／Ｆ３３と接続する。つまり、Ｆ／Ｆ３３は、１番目、３番目、５番目・・・とひとつおきに接続されることになる。
【００４８】
３７は、光電変換素子１５うち、偶数（２ｎ）の番号を持つものにそれぞれ対応して配置された切替スイッチである。
この切替スイッチ３７は、解像度設定データ生成部３８から１２００ｄｐｉに対応する解像度設定データを受信した場合は、０側の端子と接続する。このとき、２番目、４番目、６番目、・・・１０３３６番目のように偶数の番号を持つＦ／Ｆ３３は、それぞれ、切替スイッチ３７を介して、対応する番号のアナログスイッチ１９のゲートに接続する。また、１番目、３番目、５番目・・・１０３３５番目のように奇数の番号を持つＦ／Ｆ３３は、常時、それぞれ、対応する番号のＦ／Ｆ３３に接続している。従って、このときは、１〜１０３３６番目までのＦ／Ｆ３３は、それぞれ、対応する番号のアナログスイッチ１９のゲートに接続している。
【００４９】
一方、切替スイッチ３７は、解像度設定データ生成部から６００ｄｐｉに対応する解像度設定データを受信した場合は、１側の端子と接続する。このとき、１番目のＦ／Ｆ３３は、１番目と２番目のアナログスイッチ１９のゲートにそれぞれ接続し、３番目のＦ／Ｆ３３は、３番目と４番目のアナログスイッチ１９のゲートにそれぞれ接続する。以降も同様に、（２ｎ−１）番目のＦ／Ｆ３３は、（２ｎ−１）番目と２ｎ番目のアナログスイッチ１９のゲートにそれぞれ接続する。また、偶数の番号を持つＦ／Ｆ３３は、いずれのアナログスイッチ１９のゲートにも接続していない。
【００５０】
また、シフトレジスタ２３は、切替スイッチ３３に加え、４００ｄｐｉに対応する解像度設定データに応じて、１番目、４番目、７番目・・・のように、Ｆ／Ｆ３３を２つおきに接続させる切替スイッチ（図示略）を備えている。また、シフトレジスタ２３は、切替スイッチ３７に加え、４００ｄｐｉに対応する解像度設定データに応じて、（３ｍ−２）番目（ｍは１〜３４４５の整数）のＦ／Ｆ３３を、（３ｍ−１）番目及び３ｍ番目のアナログスイッチ１９に接続させる切替スイッチ（図示略）を備えている。
【００５１】
更に、シフトレジスタ２３は、３００ｄｐｉに対応する解像度設定データに応じて、１番目、５番目、９番目・・・のように、Ｆ／Ｆ３３を３つおきに接続させる切替スイッチ（図示略）を備えている。また、シフトレジスタ２３は、３００ｄｐｉに対応する解像度設定データに応じて、（４Ｌ−３）番目（Ｌは１〜２５８４の整数）のＦ／Ｆ３３を、（４Ｌ−２）番目、（４Ｌ−１）番目、及び４Ｌ番目のアナログスイッチ１９に接続させる切替スイッチ（図示略）を備えている。
【００５２】
ｄ）次に、解像度切替部３１の構成を図６を用いて説明する。
解像度切替部３１は、ラッチ３９、ラッチ４１、スイッチ４３、及びスイッチ４５を備えている。
ラッチ３９は、ＳＴＢ信号とＳＰ信号とが入力されるように構成されており、ＳＴＢ信号の立ち下がりにおけるＳＰ信号をラッチし、シフトレジスタ２３の解像度設定データ生成部３８（図３参照）に出力するものである。
【００５３】
ラッチ４１は、ＳＴＢ信号とＣＬＫ信号とが入力されるように構成されており、ＳＴＢ信号の立ち下がりにおけるＣＬＫ信号をラッチし、シフトレジスタ２３の解像度設定データ生成部３８に出力するものである。
スイッチ４３は、ＳＴＢ信号がオンのときは、ＳＰ信号をシフトレジスタ２３に出力しないとともに、ＳＴＢ信号がオフのときは、ＳＰ信号をシフトレジスタ２３に出力するスイッチである。
【００５４】
スイッチ４５は、ＳＴＢ信号がオンのときは、ＣＬＫ信号をシフトレジスタ２３に出力しないとともに、ＳＴＢ信号がオフのときは、ＣＬＫ信号をシフトレジスタ２３に出力するスイッチである。
ｅ）次に、読取装置１の動作を説明する。
【００５５】
本実施例１の読取装置では、読取を開始する場合、最初に解像度を設定する（解像度設定方法）。その動作について説明する。波形生成部７（図３参照）は、ＣＰＵ１３からの指示に基づき、図７（ａ）に示す様に、ＳＴＢ信号、ＳＰ信号、ＣＬＫ信号を生成する。ここで、ＳＴＢ信号は、請求項１の発明における解像度設定タイミング信号に対応し、ＳＰ信号は第１の解像度設定信号に対応し、ＣＬＫ信号は第２の解像度設定信号に対応する。
【００５６】
波形生成部７が生成するＳＴＢ信号において、その立ち下がりのタイミングは、図７（ａ）の▲１▼〜▲４▼のいずれかである。ＳＴＢ信号の立ち下がりが▲１▼のタイミングである場合は、解像度切替部３１（図６参照）のラッチ３９は、ＳＴＢ信号の立ち下がりにおけるＳＰ信号をラッチするので、０（オフ）をラッチする。また、ラッチ４１は、ＳＴＢ信号の立ち下がりにおけるＣＬＫ信号をラッチするので、１（オン）をラッチする。
【００５７】
ＳＴＢ信号の立ち下がりが▲２▼のタイミングである場合は、解像度切替部３１のラッチ３９は、１（オン）をラッチし、ラッチ４１は、０（オフ）をラッチする。
ＳＴＢ信号の立ち下がりが▲３▼のタイミングである場合は、解像度切替部３１のラッチ３９は、１（オン）をラッチし、ラッチ４１は、１（オン）をラッチする。
【００５８】
ＳＴＢ信号の立ち下がりが▲４▼のタイミングである場合は、解像度切替部３１のラッチ３９は、０（オフ）をラッチし、ラッチ４１は、１（オン）をラッチする。
このように、波形生成部７が生成するＳＴＢ信号の立ち下がりのタイミングが▲１▼〜▲４▼のいずれであるかにより、解像度切替部３１のラッチ３９及びラッチ４１の状態は、次の表１のように４種類の異なる状態となる。
【００５９】
【表１】
2004289634.tif 000003
【００６０】
シフトレジスタ２３の解像度設定データ生成部３８は、上述したように、ラッチ３９及びラッチ４１に接続しており、その解像度設定データ生成部３８は、ラッチ３９及びラッチ４１の状態に応じて、４種類の解像度設定データを生成する。つまり、ラッチ３９が「０」であり、且つラッチ４１が「１」の場合は、１２００ｄｐｉに対応する解像度設定データを生成する。同様に、ラッチ３９が「１」であり、且つラッチ４１が「０」の場合は、６００ｄｐｉに対応する解像度設定データを生成し、ラッチ３９が「１」であり、且つラッチ４１が「１」の場合は、４００ｄｐｉに対応する解像度設定データを生成し、ラッチ３９が「０」であり、且つラッチ４１が「０」の場合は、３００ｄｐｉに対応する解像度設定データを生成する。
【００６１】
以上をまとめると、波形生成部７が生成するＳＴＢ信号の立ち下がりのタイミングが図７（ａ）の▲１▼〜▲４▼の中のいずれであるかにより、解像度切替部３１におけるラッチ３９及び４１のラッチの状態は、４種類の中から上記波形に対応するものに定まる。そして、そのラッチの状態に応じて、解像度設定データは、４種類の中から、上記ラッチの状態に対応するものに定まる。従って、本実施例１では、ＳＴＢ信号の波形に応じて、解像度設定データを、４種類の中のいずれかに設定することができる。
【００６２】
尚、波形生成部７にて生成する波形は、図７（ｂ）に示す様に、ＳＴＢ信号を一定とし、ＳＰ信号やＣＬＫ信号の立ち下がりのタイミングを変えるものであってもよい。この場合も、ＳＰ信号やＣＬＫ信号の立ち下がりのタイミングを代えることにより、上記表１と同様に、ＳＴＢ信号の立ち下がりのタイミングにおけるＳＰ信号とＳＴＢ信号のオンーオフパターンの種類は４種類となり、ラッチ３９とラッチ４１の状態は、４種類となる。従って、シフトレジスタ２３の解像度設定データ生成部３８は、やはり、４種類の解像度設定データを生成することができる。
【００６３】
また、ラッチ３９やラッチ４１がラッチを行うのは、ＳＴＢ信号の立ち上がりのタイミングであってもよい。
更に、ＳＴＢ信号、ＳＰ信号、ＣＬＫ信号は、相互に入れ替えてもよい。例えば、ＳＰ信号の立ち上がり（又は立ち下がり）におけるＳＴＢ信号とＣＬＫ信号の状態をラッチし、それに基づいて解像度設定データを生成してもよい。同様に、ＣＬＫ信号の立ち上がり（又は立ち下がり）におけるＳＴＢ信号とＳＰ信号の状態をラッチし、それに基づいて解像度設定データを生成してもよい。
【００６４】
上記の解像度の設定を行っている間（ＳＴＢ信号が立ち下がるまでの期間）は、解像度切替部３１におけるスイッチ４３、４５（図６参照）は閉の状態にあり、ＳＰ信号及びＣＬＫ信号はシフトレジスタ２３に供給されず、シフトレジスタ２３は起動されないが、解像度の設定が終了すると（ＳＴＢ信号が立ち下がると）、上記スイッチ４３、４５は開となり、ＳＰ信号及びＣＬＫ信号はシフトレジスタ２３に供給される状態となる。このとき、ＣＰＵ１３は波形生成部７にスタート信号を発生させ、そのスタート信号により、シフトレジスタ２３の動作が開始される。
【００６５】
シフトレジスタ２３による、アナログスイッチ１９に対するオンーオフ制御パターンは、上記のように生成された解像度設定データに基づき決定され、その結果として、読取装置１の解像度が決定される。
まず、１２００ｄｐｉに対応する解像度設定データが生成された場合における、シフトレジスタ２３によるアナログスイッチ１９に対するオンーオフ制御パターンを図５を用いて説明する。
【００６６】
このとき、上述したように、切替スイッチ３５は、その０側の端子と接続しており、１番目から１０３３６番目までのＦ／Ｆ３３は、順次、全て接続されている。また、切替スイッチ３７は、その０側の端子と接続しており、その結果、１〜１０３３６番目までのＦ／Ｆ３３は、それぞれ、対応する番号のアナログスイッチ１９のゲートに接続している。
【００６７】
この状態で、１番目のＦ／Ｆ３３にＳＰ信号が入ると、１番目のアナログスイッチ１９は、ＣＬＫ信号の１周期分の時間だけ閉となる。すると、光電変換素子１５に蓄積されていた電荷はＡＯ端子２１に送られる。
１番目のＦ／Ｆ３３に入力されたＳＰ信号は、ＣＬＫ信号に同期して、２番目、３番目、４番目、・・・１０３３６番目のＦ／Ｆ３３に順次送られる。ＳＰ信号を受信したＦ／Ｆ３３は、それぞれ、対応する番号のアナログスイッチ１９をＣＬＫ信号の１周期分の時間だけ閉とするので、１番目から１０３３６番目までの光電変換素子１５は、順次、電荷をＡＯ端子２１に放出する。ＡＯ端子２１に送られる電荷は、画像信号として、ＡＳＩＣ５のＡ／Ｄ変換部９に送られる。１番目から１０３３６番目までの光電変換素子１５が電荷を放出すると、１ライン目の読取が終了する。
【００６８】
１ライン目の読取終了後、上記と同様に解像度設定データの生成及び及びそれに基づくシフトレジスタ２３の動作設定を１ラインごとに行いながら、２ライン目以降の読取を行う。
各ラインの画像データの最後には、図示しない解像度データ付加手段により、解像度データが加えられる。この解像度データは、解像度切替部３１におけるラッチの状態に基づき、解像度データ付加手段により生成するデータであって、その１ラインの読取において設定された解像度に対応するデータである。
【００６９】
解像度切替部３１から１２００ｄｐｉに対応する解像度設定データを受信した場合は、上記のように全ての光電変換素子１５が独立して電荷を放出するので、１２００ｄｐｉの画像信号が生成される。
次に、６００ｄｐｉに対応する解像度設定データが生成された場合における、シフトレジスタ２３によるアナログスイッチ１９に対するオンーオフ制御パターンを説明する。
【００７０】
このとき、上述したように、切替スイッチ３５は、その１側の端子と接続しており、Ｆ／Ｆ３３は、１番目、３番目、５番目・・・とひとつおきに接続されている。また、切替スイッチ３７は、その１側の端子と接続しており、その結果、１番目のＦ／Ｆ３３は、１番目と２番目のアナログスイッチ１９のゲートにそれぞれ接続し、３番目のＦ／Ｆ３３は、３番目と４番目のアナログスイッチ１９のゲートにそれぞれ接続している。以降も同様に、（２ｎ−１）番目のＦ／Ｆ３３は、（２ｎ−１）番目と２ｎ番目のアナログスイッチ１９のゲートにそれぞれ接続している。また、偶数の番号を持つＦ／Ｆ３３は、いずれのアナログスイッチ１９のゲートにも接続していない。
【００７１】
この状態で、１番目のＦ／Ｆ３３にＳＰ信号が入ると、１番目のアナログスイッチ１９は、ＣＬＫ信号の１周期分の時間だけ閉となる。また、１側の端子と接続している切替スイッチ３７を介して、２番目のアナログスイッチ１９もＣＬＫ信号の１周期分の時間だけ閉となる。その結果、１番目と２番目の光電変換素子１５に蓄積されていた電荷は同時にＡＯ端子２１に送られる。
【００７２】
１番目のＦ／Ｆ３３に入力されたＳＰ信号は、ＣＬＫ信号に同期しつつ、１側の端子に接続している切替スイッチ３５を介して、３番目、５番目、・・・（２ｎ−１）番目、・・・１０３３５番目のように、奇数の番号を持つＦ／Ｆ３３に順次送られる。ＳＰ信号を受信した奇数番号のＦ／Ｆ３３は、それぞれ、対応する番号と、その次の番号との２つのアナログスイッチ１９をＣＬＫ信号の１周期分の時間だけ閉とする。そのことにより、奇数番号のＦ／Ｆ３５にＳＰ信号が伝わるたびに、その番号と、次の番号の光電変換素子１５に蓄積されていた電荷が、順次、ＡＯ端子２１に放出される。このようにしてＡＯ端子２１に送られる電荷は、画像信号として、ＡＳＩＣ５のＡ／Ｄ変換部９に送られる。１番目から１０３３６番目までの光電変換素子１５が電荷を放出すると、１ライン目の読取が終了する。その後、上記と同様に解像度設定データの生成及び及びそれに基づくシフトレジスタ２３の動作設定を１ラインごとに行いながら、２ライン目以降の読取を行う。各ラインの画像データの最後には、１２００ｄｐｉの場合と同様に、図示しない解像度データ付加手段により、解像度データが加えられる。
【００７３】
このように、解像度切替部３１から６００ｄｐｉに対応する解像度設定データを受信した場合は、２個の光電変換素子１５が同時に電荷を放出するので、画像信号の解像度は６００ｄｐｉとなる。
次に、４００ｄｐｉに対応する解像度設定データが生成された場合における、シフトレジスタ２３によるアナログスイッチ１９に対するオンーオフ制御パターンの概略を説明する。
【００７４】
このとき、上述したように、１番目、４番目、７番目・・・のように、（３ｍ−２）（ｍは１〜３４４５の整数）の番号を持つＦ／Ｆ３３が順次接続されている。また、（３ｍ−２）番目のＦ／Ｆ３３は、（３ｍ−２）〜３ｍ番目の３個のアナログスイッチ１９にそれぞれ接続している。
【００７５】
この状態で、１番目のＦ／Ｆ３３にＳＰ信号が入ると、１〜３番目のアナログスイッチ１９は、ＣＬＫ信号の１周期分の時間だけ閉となる。その結果、１〜３番目の光電変換素子１５に蓄積されていた電荷はＡＯ端子２１に送られる。
１番目のＦ／Ｆ３３に入力されたＳＰ信号は、ＣＬＫ信号に同期しつつ、４番目、７番目、・・・のように、（３ｍ−２）の番号を持つＦ／Ｆ３３に順次送られる。ＳＰ信号を受信した（３ｍ−２）の番号を持つＦ／Ｆ３３は、（３ｍ−２）番目、（３ｍ−１）番目及び３ｍ番目のアナログスイッチ１９をＣＬＫ信号の１周期分の時間だけ閉とする。そのことにより、（３ｍ−２）の番号を持つＦ／Ｆ３５にＳＰ信号が伝わるたびに、（３ｍ−２）〜３ｍ番目の光電変換素子１５に蓄積されていた電荷が、順次、ＡＯ端子２１に放出される。このようにしてＡＯ端子２１に送られる電荷は、画像信号として、ＡＳＩＣ５のＡ／Ｄ変換部９に送られる。１番目から１０３３６番目までの光電変換素子１５が電荷を放出すると、１ライン目の読取が終了する。その後、上記と同様に解像度設定データの生成及び及びそれに基づくシフトレジスタ２３の動作設定を１ラインごとに行いながら、２ライン目以降の読取を行う。各ラインの画像データの最後には、１２００ｄｐｉの場合と同様に、図示しない解像度データ付加手段により、解像度データが加えられる。
【００７６】
このように、解像度切替部３１から４００ｄｐｉに対応する解像度設定データを受信した場合は、３個の光電変換素子１５が同時に電荷を放出するので、画像信号の解像度は４００ｄｐｉとなる。
次に、３００ｄｐｉに対応する解像度設定データが生成された場合における、シフトレジスタ２３によるアナログスイッチ１９に対するオンーオフ制御パターンの概略を説明する。
【００７７】
このとき、上述したように、１番目、５番目、９番目・・・のように、（４Ｌ−３）（Ｌは１〜２５８４の整数）の番号を持つＦ／Ｆ３３が順次接続されている。また、（４Ｌ−３）番目のＦ／Ｆ３３は、（４Ｌ−３）〜４Ｌ番目の４個のアナログスイッチ１９にそれぞれ接続している。
【００７８】
この状態で、１番目のＦ／Ｆ３３にＳＰ信号が入ると、１〜４番目のアナログスイッチ１９は、ＣＬＫ信号の１周期分の時間だけ閉となる。その結果、１〜４番目の光電変換素子１５に蓄積されていた電荷はＡＯ端子２１に送られる。
１番目のＦ／Ｆ３３に入力されたＳＰ信号は、ＣＬＫ信号に同期しつつ、５番目、９番目、・・・のように、（４Ｌ−３）の番号を持つＦ／Ｆ３３に順次送られる。ＳＰ信号を受信した（４Ｌ−３）の番号を持つＦ／Ｆ３３は、（４Ｌ−３）〜４Ｌ番目のアナログスイッチ１９をＣＬＫ信号の１周期分の時間だけ閉とする。そのことにより、（４Ｌ−３）の番号を持つＦ／Ｆ３５にＳＰ信号が伝わるたびに、（４Ｌ−３）〜４Ｌ番目の光電変換素子１５に蓄積されていた電荷が、順次、ＡＯ端子２１に放出される。このようにしてＡＯ端子２１に送られる電荷は、画像信号として、ＡＳＩＣ５のＡ／Ｄ変換部９に送られる。１番目から１０３３６番目までの光電変換素子１５が電荷を放出すると、１ライン目の読取が終了する。その後、上記と同様に解像度設定データの生成及び及びそれに基づくシフトレジスタ２３の動作設定を１ラインごとに行いながら、２ライン目以降の読取を行う。各ラインの画像データの最後には、１２００ｄｐｉの場合と同様に、図示しない解像度データ付加手段により、解像度データが加えられる。
【００７９】
このように、解像度切替部３１から３００ｄｐｉに対応する解像度設定データを受信した場合は、４個の光電変換素子１５が同時に電荷を放出するので、画像信号の解像度は３００ｄｐｉとなる。
尚、解像度設定データの生成は、読み取る画像の１頁につき１度のみ行ってもよい。この場合は、１頁の読取中においては、同一の解像度設定データに基づき、シフトレジスタ２３の動作が設定される。
【００８０】
ＡＳＩＣ５では、読取ヘッド６から送られた画像データが、ＡＳＩＣ５が設定した解像度で読み取られたものであるかを判断する。具体的には、波形生成部７で生成した波形に対応する解像度（ＡＳＩＣ５が設定した解像度）と、画像データに付与された解像度データとが一致するか否かを判断する。
【００８１】
読取ヘッド６から送られた画像データが、ＡＳＩＣ５が設定した解像度で読み取られたものである場合には、通常の画像処理を行う。一方、異なる解像度で読み取られたものである場合は、警告表示を行ったり、画像の読取を中止する。
ｆ）次に、本実施例１の読取装置１、読取ヘッド６、及び解像度設定方法が奏する効果を説明する。
【００８２】
▲１▼本実施例１では、１２００ｄｐｉ、６００ｄｐｉ、４００ｄｐｉ、３００ｄｐｉの４種類の解像度を設定することができる。しかも、解像度の設定は、ＳＴＢ信号、ＳＰ信号、及びＣＬＫ信号の３種の信号のみに基づいているので、設定が容易である。
【００８３】
▲２▼本実施例１では、解像度の設定に用いるＳＴＢ信号が立ち下がるまでは、スイッチ４３により、ＳＰ信号のシフトレジスタ２３への入力が遮られる（図６参照）。そして、シフトレジスタ２３は、ＳＴＢ信号の立ち下がり後のＳＰ信号により起動される。そのことにより、第１の解像度設定信号として用いられるＳＰ信号のタイミングが、設定する解像度に応じて変動する場合でも、そのＳＰ信号はシフトレジスタ２３を起動しないので、画像の読取を開始するタイミングがずれてしまうことがない。
【００８４】
▲３▼本実施例１では、解像度の設定を画像の読取における１ライン毎に行うことができる。その場合は、解像度設定の処理と、１ラインの画像読取とを、１ライン毎に行う一連の処理として記憶しておき、この処理を繰り返すことで画像の読取を行うことができるので、読取装置１の制御が容易である。
【００８５】
また、本実施例１では、解像度の設定を画像の読取における１頁毎に行うことができる。その場合は、解像度の設定は１頁に一度で良いので、解像度設定の実行回数が少なくて済む。そのことにより、画像の読取りに要する時間を短縮できる。
【００８６】
▲４▼本実施例１では、最大解像度（１２００ｄｐｉ）以外の解像度が設定された場合、シフトレジスタ２３は、その解像度に応じて複数のアナログスイッチ１９を同時にオンとするので、複数の光電変換素子１５から放出された電気信号が同時に信号ラインに送られる。
【００８７】
そのため、最大解像度以外が設定された場合に、光電変換素子１５における光信号の受信と電気信号の出力とのサイクルが短くなり、光電変換素子１５の１個あたりの電気信号が小さくなっても、信号ラインの出力が小さくなることがなく、読み取った画像のＳ／Ｎを高く保つことができる。
【００８８】
▲５▼本実施例１では、１ラインの読取毎に（解像度を設定する毎に）、画像信号に、解像度を示す解像度信号を含むので、イメージセンサ３において解像度設定が正常に行われているかを、ＡＳＩＣ５において判断することができる。そして、解像度設定が正常に行われていない場合は、例えば、読取を中止したり、読取装置１に警告を表示したりすることができる。
（実施例２）
本実施例２の読取装置１の構成及び動作は基本的には前記実施例１と同様である。但し、本実施例２では、解像度切替部３１は図８に示す様に、４個のラッチ４７、４９、５１、５３を備えている。
【００８９】
解像度切替部３１に、波形生成部７（図３参照）から、図９に示すＳＰ信号（解像度設定タイミング信号）、ＳＴＢ信号（第１の解像度設定信号）、ＣＬＫ信号（第２の解像度設定信号）が入力されると、ラッチ４７は、ＳＰ信号の立ち上がりにおけるＳＴＢ信号の１／０のいずれかをラッチする。ラッチ４９は、ＳＰ信号の立ち上がりにおけるＣＬＫ信号の１／０のいずれかをラッチする。ラッチ５１は、ＳＰ信号の立ち下がりにおけるＳＴＢ信号の１／０のいずれかをラッチする。ラッチ４９は、ＳＰ信号の立ち下がりにおけるＣＬＫ信号の１／０のいずれかをラッチする。
【００９０】
従って、波形生成部７が、ＳＰ信号の立ち上がり及び立ち下がりのタイミングを変えることにより、又は、ＳＴＢ信号やＣＬＫ信号の波形やタイミングを変えることにより、ＳＰ信号の立ち上がり及び立ち下がりのタイミングにおけるＣＬＫ信号とＳＴＢ信号のオンーオフパターンを変更すると、解像度切替部３１におけるラッチ４７、４９、５１、５３の状態は異なるものとなる。そのラッチ４７、４９、５１、５３の状態は、表２に示す様に１６種類となる。
【００９１】
【表２】
2004289634.tif 000004
【００９２】
解像度設定データ生成部３８では、これら１６種類のラッチ状態のそれぞれに応じて、１６種類の解像度設定データを生成させる。
従って、本実施例２では、波形生成部７が発生させるＳＰ信号、ＳＴＢ信号、及びＣＬＫ信号の波形やタイミングを変えることにより、１６種類の解像度設定データを生成させることができる。
【００９３】
上記のように生成された解像度設定データに基づき、シフトレジスタ２３（図３参照）による、アナログスイッチ１９に対するオンーオフ制御パターンが決定され、その結果として、読取装置１の解像度が決定される。
つまり、シフトレジスタ２３は、１６種類の解像度設定データのそれぞれに応じて、Ｆ／Ｆ３３をスキップしながら接続する切替スイッチ（実施例１における切替スイッチ３５に相当）を備えている。また、シフトレジスタ２３は、解像度設定データに応じて、１つのＦ／Ｆ３３により複数のアナログスイッチ１９を閉とすることができるように切替スイッチ（実施例１における切替スイッチ３７に相当）を備えている。
【００９４】
従って、本実施例３の読取装置１は、波形生成部７が生成する３種類の信号に基づいて１６種類の解像度設定データを設定し、その１６種類の解像度設定データに応じて、シフトレジスタ２３によるアナログスイッチ１９に対するオンーオフ制御パターンを決定し、読取装置１の解像度を１６種類の中から選択することができる。
（実施例３）
本実施例３の読取装置１の構成及び動作は、基本的には前記実施例２と同様である。但し、本実施例３では、解像度切替部３１のラッチ４７、４９、５１５３は、図１０に示す様に、ＳＰ信号の２つのパルスの立ち下がりにおいて、ＳＴＢ信号とＣＬＫ信号のラッチを行う。
【００９５】
具体的には、ラッチ４７は、ＳＰ信号における最初のパルスの立ち下がりにおけるＳＴＢ信号の１／０のいずれかをラッチする。ラッチ４９は、ＳＰ信号の最初のパルスの立ち下がりにおけるＣＬＫ信号の１／０のいずれかをラッチする。ラッチ５１は、ＳＰ信号の２番目のパルスの立ち下がりにおけるＳＴＢ信号の１／０のいずれかをラッチする。ラッチ５３は、ＳＰ信号の２番目のパルスの立ち下がりにおけるＣＬＫ信号の１／０のいずれかをラッチする。
【００９６】
従って、波形生成部７が、２つのＳＰ信号の立ち下がりのタイミングを変えることにより、又は、ＳＴＢ信号やＣＬＫ信号の波形やタイミングを変えることにより、２つのＳＰ信号の立ち下がりのタイミングにおけるＣＬＫ信号とＳＴＢ信号のオンーオフパターンを変更すると、解像度切替部３１におけるラッチ４７、４９、５１、５３の状態は、前記実施例２の場合と同様に１６種類のいずれかとなる。解像度設定データ生成部では、これら１６種類のラッチ状態のそれぞれに応じて、１６種類の解像度設定データを生成させる。
【００９７】
従って、本実施例３では、波形生成部７が発生させるＳＰ信号、ＳＴＢ信号、及びＣＬＫ信号の波形やタイミングを変えることにより、１６種類の解像度設定データを生成させることができる。
上記のように生成された解像度設定データに基づき、前記実施例２の場合と同様に、シフトレジスタ２３（図３参照）による、アナログスイッチ１９に対するオンーオフ制御パターンが決定され、その結果として、読取装置１の解像度が決定される。
【００９８】
つまり、シフトレジスタ２３は、１６種類の解像度設定データのそれぞれに応じて、Ｆ／Ｆ３３をスキップしながら接続する切替スイッチ（実施例１における切替スイッチ３５に相当）を備えている。また、シフトレジスタ２３は、解像度設定データに応じて、１つのＦ／Ｆ３３により複数のアナログスイッチ１９を閉とすることができるように切替スイッチ（実施例１における切替スイッチ３７に相当）を備えている。
【００９９】
従って、本実施例３の読取装置１は、波形生成部７が生成する３種類の信号に基づいて１６種類の解像度設定データを設定し、その１６種類の解像度設定データに応じて、シフトレジスタ２３によるアナログスイッチ１９に対するオンーオフ制御パターンを決定し、読取装置１の解像度を１６種類の中から選択することができる。
【０１００】
尚、本発明は前記実施例になんら限定されるものではなく、本発明を逸脱しない範囲において種々の態様で実施しうることはいうまでもない。
・前記実施例２、３にて解像度の設定を行う際には、ＳＰ信号、ＳＴＢ信号、及びＣＬＫ信号は相互に入れ替えてもよい。例えば、実施例２において、ＳＴＢ信号又はＣＬＫ信号の立ち上がりと立ち下がりのタイミングで、他の２つの信号をラッチしてもよい。また、実施例３において、ＳＴＢ信号又はＣＬＫ信号における２つのパルスの立ち上がり又は立ち下がりのタイミングで、他の２つの信号をラッチしてもよい。
【０１０１】
・前記実施例３にて解像度の設定を行う際には、ＳＰ信号におけるパルスの立ち上がりにおいてＳＴＢ信号とＣＬＫ信号をラッチするようにしても良い。
・前記実施例１において、スイッチ４３は、ＳＴＢ信号の立ち上がり又は立ち下がりから所定期間内は、ＳＰ信号をシフトレジスタ２３に入れないものであってもよい。また、スイッチ４５は、ＳＴＢ信号の立ち上がり又は立ち下がりから所定期間内は、ＣＬＫ信号をシフトレジスタ２３に入れないものであってもよい。
【図面の簡単な説明】
【図１】実施例における多機能装置の構成を示す説明図である。
【図２】実施例における多機能装置の構成を示す説明図である。
【図３】実施例における読取装置の構成を示す説明図である。
【図４】実施例におけるイメージデバイスの構成を示す説明図である。
【図５】実施例におけるイメージデバイスの構成を示す説明図である。
【図６】実施例における解像度切替部の構成を示す説明図である。
【図７】実施例において解像度の設定に用いる信号の波形を示す説明図である。
【図８】実施例における解像度切替部の構成を示す説明図である。
【図９】実施例において解像度の設定に用いる信号の波形を示す説明図である。
【図１０】実施例において解像度の設定に用いる信号の波形を示す説明図である。
【図１１】従来のイメージセンサの構成を示す説明図である。
【符号の説明】
１・・・読取装置
５・・・ＡＳＩＣ
６・・・読取ヘッド
７・・・波形生成部
９・・・Ａ／Ｄ
１１・・・画像処理部
１３・・・ＣＰＵ
１５・・・光電変換素子
１９・・・アナログスイッチ
２３・・・シフトレジスタ
３１・・・解像度切替部
３３・・・Ｆ／Ｆ
３５、３７・・・切替スイッチ
３８・・・解像度設定データ生成部
３９、４１、４７、４９、５１、５３・・・ラッチ
【図１】
2004289634.tif 000005
【図２】
2004289634.tif 000006
【図３】
2004289634.tif 000007
【図４】
2004289634.tif 000008
【図５】
2004289634.tif 000009
【図６】
2004289634.tif 000010
【図７】
2004289634.tif 000011
【図８】
2004289634.tif 000012
【図９】
2004289634.tif 000013
【図１０】
2004289634.tif 000014
【図１１】
2004289634.tif 000015